(57)【要約】      （修正有）【課題】計測対象のご飯の熱量（カロリー）を小単位にて表示することが可能であって、煩雑な操作を伴わないカロリー計を提供する。【解決手段】ご飯が載置される載置部材１と、この載置部材に載置されたご飯の重量を計量する計量部と、計量されたご飯の重量に基づいて熱量（カロリー）に変換演算する重量／熱量変換演算部とを備え、載置部材を本体ケース２に突設し、計量部と重量／熱量変換演算部を本体ケースに内蔵し、さらに本体ケースの外側に熱量の演算結果を表示する表示部３を設けたことを特徴とする。【選択図】図１
0003195682.tif 000002
【実用新案登録請求の範囲】
【請求項１】
ご飯が載置される載置部材と、この載置部材に載置されたご飯の重量を計量する計量部と、計量されたご飯の重量に基づいて熱量（カロリー）に変換演算する重量／熱量変換演算部とを備え、
前記載置部材を本体ケースに突設し、前記計量部と前記重量／熱量変換演算部を前記本体ケースに内蔵し、さらに前記本体ケースの外側に熱量の演算結果を表示する表示部を設けたことを特徴とするカロリー計。
【請求項２】
前記重量／熱量変換演算部が、複数回の演算結果を記憶可能であり、複数回の演算結果を積算して前記表示部に表示可能であることを特徴とする請求項１記載のカロリー計。
【請求項３】
前記表示部が、計量されたご飯の重量を表示可能であることを特徴とする請求項１記載のカロリー計。
【請求項４】
前記載置部材を前記本体ケースに対して着脱可能にしたことを特徴とする請求項１記載のカロリー計。
【考案の詳細な説明】
【技術分野】
【０００１】
本考案は、お米を炊いたご飯の重量から熱量（ｋｃａｌ：キロカロリー）を演算して表示するカロリー計に関する。
【背景技術】
【０００２】
近年の健康志向から、一般人でも容易に用いられる多種多様の健康機器、あるいは健康で美しい身体を維持するため、また太り過ぎを防止するために自己のカロリー摂取量を知り、カロリー摂取量をコントロールする目的で用いられる多種多様のカロリー計が市販されている。
【０００３】
健康維持／向上などのためにカロリー摂取量をコントロールするには、日本人の主食といえるご飯の摂取カロリーを知ることも必要である。
【０００４】
特許文献１には、しゃもじのご飯をすくう部分に約１００ミリリットル分の凹型の空間を設け、そこにすりきり１杯のご飯を盛ることで約１００キロカロリー分のご飯が盛れるようにしたしゃもじ製品が記載されている。
【先行技術文献】
【特許文献】
【０００５】
【特許文献１】特開２００６−７５５５３号公報
【考案の概要】
【考案が解決しようとする課題】
【０００６】
しかし、特許文献１に記載のしゃもじ製品は、しゃもじに約１００キロカロリー分のご飯が入る凹部を設けた構成であるため、約１００キロカロリー単位でしかご飯の熱量を計測することができない。
【０００７】
すなわち、特許文献１に記載のしゃもじ製品では、熱量の計測が極めて大ざっぱであるといえ、１キロカロリー単位や１０キロカロリー単位などの小単位での熱量計測はできない。このため、例えば、痩身願望のダイエットなどで微小かつ微妙なカロリー摂取までも気に掛ける女性などの要望には対応できないといえる。
【０００８】
そこで本考案は、前記従来の課題を解決し、計測対象のご飯の熱量（カロリー）を小単位にて計測／表示することが可能であり、煩雑な操作を伴わないカロリー計を提供することを目的とする。
【課題を解決するための手段】
【０００９】
本考案のカロリー計は、ご飯が載置される載置部材と、この載置部材に載置されたご飯の重量を計量する計量部と、計量されたご飯の重量に基づいて熱量（カロリー）に変換演算する重量／熱量変換演算部とを備え、前記載置部材を本体ケースに突設し、前記計量部と前記重量／熱量変換演算部を前記本体ケースに内蔵し、さらに前記本体ケースの外側に熱量の演算結果を表示する表示部を設けたことを特徴とする。
【００１０】
また、本考案のカロリー計は、前記重量／熱量変換演算部が、複数回の演算結果を記憶可能であり、複数回の演算結果を積算して前記表示部に表示可能であることを特徴とする。
【００１１】
また、本考案のカロリー計は、前記表示部が、計量されたご飯の重量を表示可能であることを特徴とする。
【００１２】
また、本考案のカロリー計は、前記載置部材を前記本体ケースに対して着脱可能にしたことを特徴とする。
【考案の効果】
【００１３】
本考案のカロリー計は、重量／熱量変換演算部により、ご飯の重量に対応した熱量が、例えば１キロカロリー単位の小単位でも演算表示されるため、多様の目的の摂取カロリーの規制、あるいは摂取カロリーの認識などのために用いることができる。しかも、計測対象のご飯を載置部材に載せるだけで熱量の計測が容易かつ簡単に行われ、煩雑な操作を伴わないものである。
【００１４】
また、複数回の演算結果を積算して表示することにより、食するご飯の総摂取カロリーを容易に認識することができる。
【００１５】
また、計量されたご飯の重量を表示可能にすることにより、必要に応じてご飯の重量をも容易に認識することができる。
【００１６】
また、ご飯を載せる載置部材を本体ケースに対して着脱可能にすることにより、積載部材のみを単体で洗うなどのクリーニングを容易にすることができる。
【図面の簡単な説明】
【００１７】
【図１】本考案に係るカロリー計の実施形態の平面図である。
【図２】（ａ）〜（ｅ）は本実施形態における熱量計測と熱量表示の説明図である。
【図３】本実施形態における重量表示の説明図である。
【図４】本実施形態における載置部材の取り外し状態を示す説明図である。
【考案を実施するための形態】
【００１８】
以下、本考案の好適な実施形態を図面に基づいて説明する。
【００１９】
図１において、１は計測対象のご飯が載置されるしゃもじ形状の載置部材であり、載置部材１は、本体ケース２に載置部材１に設けられた連結部１ａにて着脱可能に連結され、必要時に取り外しができるように本体ケース２の横側部に突設されている。
【００２０】
本体ケース２の内部には、図示しないが、載置部材に載置されたご飯の重量を計量する計量部と、計量されたご飯の重量に基づいて熱量（カロリー）に変換演算する重量／熱量変換演算部とが設置されている。
【００２１】
本体ケース２の上側部には、前記計量部の計量値と前記重量／熱量変換演算部による熱量（ｋｃａｌ）の演算値とを数表示する液晶ディスプレイからなる表示部３と、電源オン／オフを操作するための電源ボタン４と、表示部３の表示を熱量表示（ｋｃａｌ）にするか、重量（ｇ）にするかを切り換える切換ボタン５とが設けられている。
【００２２】
重量／熱量変換演算部は、複数回の演算結果を記憶可能であり、本体ケース２の上側部に設けられた追加ボタン６を押すことによって、ご飯の熱量値を積算して表示部３に表示することができるようになっている。この積算は追加ボタン６を押す度に行われる。
【００２３】
なお、図１において本体ケース２の右側には、本カロリー計を任意の場所に吊り下げるようにしておくために用いられる貫通孔７が形成されている。
【００２４】
計量部としては、従来から用いられているロードセル構造のものが使用される。また重量／熱量変換演算部としては、ご飯（白米）の重量と熱量との一般的な関係式を演算式として格納した演算素子が使用される。
【００２５】
さらに、表示部３の表示の切り換えや、オン／オフ操作，追加モードの切り換えなどは、計量部と重量／熱量変換演算部の動作と共に、ＣＰＵ（中央演算ユニット）により統括的にコントロールされる。
【００２６】
次に、図２（ａ）〜（ｅ）を参照して、本カロリー計の使用方法と計量表示について説明する。
【００２７】
電源ボタン４を押すと、ご飯の熱量（カロリー）を演算するモードに設定され、図２（ａ）に示すように、載置部材１に何も載っていない状態では、表示部３には「０」の表示がなされる。
【００２８】
次に、しゃもじ形状の載置部材１により、炊飯器などからご飯Ｒを掬って、図２（ｂ）に示すように、ご飯Ｒが載置部材１に載せられると、計量部と重量／熱量変換演算部によってご飯Ｒの重量が計量されると共に重量／熱量変換演算が行われ、計測対象のご飯Ｒの熱量が表示部３に、例えば「１６８ｋｃａｌ」と表示される。ここで計測を終了するには、電源ボタン４を押すことにより電源をオフにする。
【００２９】
しかし、さらに新たなご飯Ｒを加えて計測したい場合には、電源ボタン４を押さずに追加ボタン６を押す。これにより追加モードになり、重量／熱量変換演算部では既に計量／演算したデータが記憶される。この状態で、図２（ｄ）に示すように、載置部材１上の既に計量／演算が終了しているご飯Ｒを茶碗Ｃなどに移す。表示部３には、図２（ｃ）に示すように「追加」の表示がなされる。
【００３０】
そして、炊飯器などから新たにご飯Ｒを掬って、図２（ｅ）に示すように、ご飯Ｒを載置部材１に載せると、前回と同様に計量部と重量／熱量変換演算部とによってご飯の重量が計量され、かつ重量／熱量変換演算が行われる。そして前回の熱量データ（本例では１６８ｋｃａｌ）と今回計量／演算された熱量データ（例えば８４ｋｃａｌ）とが積算されて、前回と今回のご飯Ｒの総熱量が表示部３に「２５２ｋｃａｌ」と表示される。この追加の計量／演算は追加ボタン６を押す度に複数回可能である。計測を終了するには、電源ボタン４を押すことにより電源をオフにする。
【００３１】
また、切換ボタン５を押すことによって、図３に示すように、表示部３の表示を切り換えて、計測対象のご飯の重量を表示（本例ではｇ単位）することができる。
【００３２】
また、本実施形態では、図４に示すように、載置部材１が本体ケース２に対して着脱可能になっているため、積載部材１を本体ケース２から分離して、単体で水洗いなどのクリーニングを容易に行うことができる。
【００３３】
なお、前記実施形態における各部材の形状や配置設置などは、実施に際して仕様などに応じて適宜選択して決定する必要がある。
【産業上の利用可能性】
【００３４】
本考案は、しゃもじ形状，スプーン形状などのご飯を載せる載置部材を備え、対象物の熱量（カロリー）／重量などの表示を行うカロリー計として有用である。
【符号の説明】
【００３５】
１  載置部材
２  本体ケース
３  表示部
４  電源ボタン
５  切換ボタン
６  追加ボタン
７  貫通孔
Ｒ  ご飯
Ｃ  茶碗
【図１】
0003195682.tif 000003
【図２】
0003195682.tif 000004
【図３】
0003195682.tif 000005
【図４】
0003195682.tif 000006